(57)【要約】【課題】複数種類の肥料をホッパ内で短時間に精度よく混合可能な肥料散布機を提供する。【解決手段】横長状ホッパ内底部をＵ字状に成形して、該底部に撹拌羽根を有した肥料を撹拌する撹拌部を構成し、該撹拌部を隣接して前後に平行に設け、Ｕ字状の底面に複数個の排出口を設け、該排出口より肥料を落下させて散布可能とした肥料散布機において、肥料を投入する横長状ホッパは、前記撹拌羽根の回転軸長手方向からみた断面形状が、底部が撹拌羽根外周に沿った円弧状に構成され、該円弧状の端部から連続して上方の肥料投入口側に至る側面板が撹拌羽根側に傾斜した構造であることを特徴とした肥料散布機【選択図】図３
2014057535.tif 000002
【特許請求の範囲】
【請求項１】
肥料を投入して貯留可能な横長状ホッパ内底部をＵ字状に成形して、該底部に撹拌羽根を有した回転軸を内設して肥料を撹拌する撹拌部を構成し、該撹拌部を隣接して前後に平行に設け、Ｕ字状の底面に複数個の排出口を設け、該排出口より肥料を落下させて散布可能とした肥料散布機において、
肥料を投入する横長状ホッパは、前記撹拌羽根の回転軸長手方向からみた断面形状が、底部が撹拌羽根外周に沿った円弧状に構成され、該円弧状の端部から連続して上方の肥料投入口側に至る側面板が撹拌羽根側に傾斜した構造であることを特徴とした肥料散布機。
【請求項２】
肥料を投入して貯留可能な横長状ホッパ内底部をＵ字状に成形して、該底部に螺旋状の撹拌羽根を有した回転軸を内設して肥料を一方向へ移送しながら撹拌する撹拌部を構成し、該撹拌部を移送方向が互いに逆方向になるように一組を隣接して前後に平行に設け、これらの移送方向の下流端側に、隣接する他方の撹拌部に肥料が移動可能な掻き上げ材を設けて肥料が連続循環するように構成するとともに、Ｕ字状の底面に複数個の排出口を設け、該排出口より肥料を落下させて散布可能とした肥料散布機において、
肥料を投入する横長状ホッパは、前記螺旋状の撹拌羽根の回転軸長手方向からみた断面形状が、底部が撹拌羽根外周に沿った円弧状に構成され、該円弧状の端部から連続して上方の肥料投入口側に至る側面板が螺旋状の撹拌羽根側に傾斜した構造であることを特徴とした肥料散布機。
【発明の詳細な説明】
【技術分野】
【０００１】
本発明は肥料散布機に関するもので、複数種類の肥料をホッパ内で混合して散布できる構成に関わるものである。
【背景技術】
【０００２】
この種の従来技術として特開２００３−２３５３１８号公報(従来技術１)や特開平１１−１０３６２７号公報(従来技術２)及び実登３１４３４８６号(従来技術３)が開示されている。
【０００３】
従来技術１には、「Ｕ字状の樋に撹拌羽根を有した回転軸を内設して原料を一方向へ撹拌しながら移送する撹拌部を構成し、この撹拌部の移送方向が互いに逆方向になるように一組を隣接して設け、これらの移送方向の末端に、隣接する樋に原料が移動可能な掻き上げ材を設けて原料が連続循環するように構成するとともに、移送方向の末端側底面に排出口を設けたことを特徴とする肥料散布機」の開示がされている。また、従来技術２には「ホッパに平行にオーガを設け、その一方の第２撹拌オーガで肥料をオーガ中心から両端に移送するように、他方の第１撹拌オーガで肥料を両端から中央に寄せるように形成し、かつその第１撹拌オーガの中央底部のホッパに落下孔を形成したことを特徴とする肥料散布機」の開示がされている。さらに、従来技術３には「タンクは、底部側を略円弧形状に湾曲させた縦断側面視で略Ｕ字形状に形成され、前記撹拌ロータは、前記タンクの長手方向にわたり回転架橋状に配設される回転主軸と、この回転主軸の軸方向の複数ヶ所に略放射状に設けられる撹拌羽根と、を備え、前記撹拌羽根は、羽根先を前記円弧底部に沿わせて接近させる放射径にて前記回転主軸の軸周りに設けられ、かつ、羽根先側に、前記円弧底部に沿わせて接触させる弾性部材を備えていることを特徴とする散布装置」の開示がされている。
【先行技術文献】
【特許文献】
【０００４】
【特許文献１】特開２００３−２３５３１８公報（従来技術１）
【特許文献２】特開平１１−１０３６２７号公報（従来技術２）
【特許文献３】実登３１４３４８６号公報（従来技術３）
【発明の概要】
【発明が解決しようとする課題】
【０００５】
公知の技術によれば、一組の隣接するＵ字状の樋に肥料を水平方向に連続循環させるものや、回転軸に放射状に撹拌羽根を設ける等により混合し、樋の底面に排出口を設けて、この排出口から肥料を落下させ散布するものであるが、散布前に複数種類の肥料を混合する際に、できるだけ短時間に精度よく混合することにより作業効率を改善するとともに肥料の混合精度を向上することが望まれていた。
【０００６】
このため本発明の目的は、散布作業前の肥料の混合を精度良く短時間に行なえる肥料散布機を提供することにある。
【課題を解決するための手段】
【０００７】
上記課題を解決するために、肥料を投入して貯留可能な横長状ホッパ内底部をＵ字状に成形し、該底部に撹拌羽根を有した回転軸を内設して肥料を撹拌する撹拌部を構成し、該撹拌部を隣接して前後に平行に設け、Ｕ字状の底面に複数個の排出口を設け、該排出口より肥料を落下させて散布可能とした肥料散布機において、肥料を投入する横長状ホッパは、前記撹拌羽根の回転軸長手方向からみた断面形状が、底部が撹拌羽根外周に沿った円弧状に構成され、該円弧状の端部から連続して上方の肥料投入口側に至る側面板が撹拌羽根側に傾斜した構造であることを特徴とした肥料散布機を提供する。
【０００８】
また、上記課題を解決するために、肥料を投入して貯留可能な横長状ホッパ内底部をＵ字状に成形し、該底部に螺旋状の撹拌羽根を有した回転軸を内設して肥料を一方向へ移送しながら撹拌する撹拌部を構成し、該撹拌部を移送方向が互いに逆方向になるように一組を隣接して前後に平行に設け、これらの移送方向の下流端側に、隣接する他方の撹拌部に肥料が移動可能な掻き上げ材を設けて肥料が連続循環するように構成するとともに、Ｕ字状の底面に複数個の排出口を設け、該排出口より肥料を落下させて散布可能とした肥料散布機において、肥料を投入する横長状ホッパは、前記螺旋状の撹拌羽根の回転軸長手方向からみた断面形状が、底部が撹拌羽根外周に沿った円弧状に構成され、該円弧状の端部から連続して上方の肥料投入口側に至る側面板が螺旋状の撹拌羽根側に傾斜した構造であることを特徴とした肥料散布機を提供する。
【発明の効果】
【０００９】
上記のようにＵ字状のホッパ底部に撹拌羽根を設けて肥料を撹拌する撹拌部を構成し、肥料を投入する横長状ホッパを、撹拌羽根の回転軸長手方向からみた断面形状が、底部が撹拌羽根外周に沿った円弧状に構成し、該円弧状の端部から連続して上方の肥料投入口側に至る側面板が撹拌羽根側に傾斜した構造であることにより、撹拌混合作業時の撹拌羽根上方部の肥料の滞留が少なく、撹拌羽根内に肥料が効率よく入り込み移動撹拌されて、短時間に精度良く肥料が混合されて散布作業が効率よく又精度のよい肥料散布が行なえる。
【００１０】
また、前後に螺旋状の撹拌部を相互に移送方向を逆方向に組み合せてそれぞれの移送方向の末端に、隣接する他方の撹拌部に肥料が移動可能な掻き上げ材を設け連続循環して撹拌するので、高精度の高速撹拌を可能にし、又、散布にあたって撹拌部のＵ字状樋の底面から直接排出散布するので、混合肥料の圧縮作用やブリッジが少なく円滑な混合と散布作業ができる。
【図面の簡単な説明】
【００１１】
【図１】本発明を実施した肥料散布機の左側面図
【図２】本発明を実施した肥料散布機の一部断面した左側面図
【図３】本発明を実施した肥料散布機の一部断面した右側面図
【図４】本発明を実施した肥料散布機の一部断面した平面図
【図５】本発明を実施した肥料散布機のシャッタの作動説明図
【図６】シャッタ電動作動ユニットの断面図
【図７】肥料混合時のホッパ内の肥料流れの説明図
【図８】肥料混合時のホッパ内の肥料流れの説明図
【発明を実施するための形態】
【００１２】
以下、本発明の実施形態の一例を図面１乃至図面８に基づいて説明する。
【００１３】
１はパイプフレームを示し、このパイプフレーム１には４のトップブラケット、及び一対のロアピン５が前方に突出して取り付けられ、これらにより図示していないがトラクタの三点リンクに装着することができる。又、自走式の台車等に装着しても良い。
【００１４】
１８はホッパで前記パイプフレーム１に固着されていて肥料を投入するものである。上面には上面カバー１８ａが設けてあり、前方端を回動支点として前後に回動して開閉できる。ホッパ１８は底部にＵ字状の樋１７に撹拌羽根１４を有した第1回転軸９を内設し、一方向へ回転移送するものであり、移送末端側に掻き上げ材１０を設けて、第１撹拌部１１を構成する。本実施例において、撹拌羽根１４はリボン状螺旋に形成されている。
【００１５】
また、第１撹拌部１１と平行に隣接して第２撹拌部１２が設けられていて、第２撹拌部１２は第１撹拌部１１と同じく撹拌羽根１４１を有した第２回転軸１３からなり、前記した第１撹拌部１１の移送方向とは逆に向けて移送回転させ、末端に掻き上げ材１０１を設けて構成する。これにより、図４に示す矢印Ａ方向に肥料が連続循環して撹拌される。
【００１６】
１５は第１撹拌部１１の排出口を示し、第１撹拌部１１の樋１７の底面に複数個配列されてあり、樋の底面の外側には、左右方向にスライドして肥料の落下量を調整するシャッタが密着されて設けてある。1５１は、第２撹拌部１２の排出口を示し、第２撹拌部１２の樋１７１の底面に複数個配列されてあり、樋の底面の外側には左右方向にスライドして肥料の落下量を調整するシャッタが密着されて設けてある。
【００１７】
２はギヤケースで前方に入力軸３を突設して有し、上下のパイプフレーム１に支持されている。装着されたトラクタのＰＴＯ軸と入力軸３がユニバーサルジョイント（図示せず）で連結されて動力がトラクタから入力され駆動される。ギヤケース２には、ベベルギヤ２ａが設けられ、入力軸３と直角方向に出力軸が延出されている。延出された第１出力軸２ｂの他方端には駆動スプロケット６が設けられている。駆動スプロケット６から中間スプロケット６ａを経由し減速され、第１スプロケット７及び第２スプロケット８を駆動し、これらが固着された第１回転軸９と第２回転軸１３を回転させ、本例においては図３に示すＸ，Ｙの矢印の回転方向に相互に隣接する内方に掬い上げるように回転する。６ｂはテンションスプロケットでローラーチェーン６ｃの張り調節を行う。
【００１８】
樋１７，１７１の底面に設けた排出口１５，１５１からの肥料の落下量を調整する第１シャッタ１９ｂと第２シャッタ１９ｃは、それぞれ樋の底面の排出口と同じピッチに排出口を設けた板状で構成され、底面を左右にスライドさせ、双方の排出口の重合度合により肥料の落下量を調節する。シャッタの左右スライドは、本例においてはトラクタの座席部に設けたコントローラ（図示せず）の操作によって電動で作動するように構成されている。前記コントローラを操作すると、シャッタ電動作動ユニット２２が作動して第１シャッタ１９ｂと第２シャッタ１９ｃが作動する。コントローラにはスライド位置の調整部があり、希望する位置に合わせると排出口１５，１５１の開度がそれぞれ設定される。
【００１９】
図６はシャッタ電動作動ユニット２２を示したもので、ホッパ１８の前方に設けられている。ユニット全体はケース２２ａ内に設けられていて、電動モータ２２ｂが内蔵され、電動モータ２２ｂを正逆回転させることにより、電動モータ２２ｂに固着されたピニオンギヤ２２ｃと噛合するセクタギヤ２２ｄが正逆回動され、セクタギヤ２２ｄに固着された回動アーム２２ｆがシャッタ作動部１９と連結された第１連結ロッド２５を押し引きしてシャッタを作動させる。セクタギヤ２２ｄの回動軸であるセクタギヤ回動軸２２ｅにはセクタギヤ２２ｄの回動角を検出するポテンショメータ２２ｇが設けられていて、回動角を検出することで相対的にシャッタの移動量を検出することができる。
【００２０】
図５はシャッタ作動部１９を示したもので、ホッパ１８の底面の前後のＵ字状の樋底面に設けた第１シャッタ１９ｂ，第２シャッタ１９ｃの中間部に設けた垂直方向の回動軸１９ｅに回動アーム１９ａが嵌合され水平方向に回動可能となっている。回動アーム１９ａは、回動軸１９ｅの嵌合部から水平に前後双方にアームが延設され、前方に延設されたアームの回動端は、シャッタ電動作動ユニット２２の回動アーム２２ｆと第１連結ロッド２５によって連結され、前記電動モータ２２ｂの正逆回転により水平方向に回動する。また、後方に延設されたアームの回動端と第２シャッタ１９ｃの端部がシャッタ連動ロッド１９ｄを介して回動自在に連結され、一方、前方側に延設されたアームの後方側回動端と略同回動半径位置と第１シャッタ１９ｂの端部がシャッタ連動ロッド１９ｄを介して回動自在に連結されていて、回動アーム１９ａが回動すると第１シャッタ１９ｂ，第２シャッタ１９ｃが押し引きされ左右にスライドする。スライドすることにより排出口１５，１５１の開度がそれぞれ設定できる。尚、シャッタ電動作動ユニット２２を使用せず、回動レバー等で手動にてシャッタを作動させてもよい。
【００２１】
図３と図４において、１４，１４１の撹拌羽根は互いに内方の矢印Ｘ，Ｙの方向へ回転し、１４，１４１の撹拌羽根はリボン状螺旋に形成され、肥料は互いに逆方向に移送されるように形成されている。また、移送方向の末端には、隣接する樋に肥料が掻き送られるように掻き上げ材１０，１０１を設けて、肥料が前後のＵ字状の樋を連続循環するように構成されている。連続循環する間にホッパ１８内に投入された複数の肥料の混合が行なわれ、一工程で複数の肥料の散布が可能となる。この場合、肥料の混合精度が劣ると散布したときに肥料の偏り等が起こり散布精度が低下することとなる。また、混合時間が長いと作業効率が低下することとなる。このため、短時間で高精度の混合が望まれている。
【００２２】
本例の肥料を投入する横長状ホッパ１８は、撹拌羽根１４，１４１の回転軸長手方向からみた断面形状が、底部が撹拌羽根１４，１４１外周に沿った円弧状に構成され、該円弧状の端部から連続して上方の肥料投入口側に至る側面板１８ｂが撹拌羽根１４，１４１側に傾斜した構造となっている。この様な構造とすることにより、図７の（ａ）に示すように、撹拌羽根１４，１４１上方部に位置する肥料が側面板１８ｂが撹拌羽根１４，１４１側に傾斜することにより撹拌羽根１４，１４１内に矢印のように引き込まれやすく、引き込まれることにより移動され撹拌作用が進行して混合される。一方、図７の（ｂ）のように側面板が外側に傾斜していると、撹拌羽根１４，１４１上方部に位置する肥料は上方又は側方に矢印で示すように逃げて撹拌羽根１４，１４１内に引き込まれにくくなり、上方部で肥料が停滞して撹拌作用が進行しにくくなり混合が進行しない。このため、撹拌時間を短縮することができないとともに、混合精度の向上を期待できない。図８は、撹拌羽根１４，１４１の回転方向を逆にした場合を示したもので、（ｃ）に示す側面板１８ｂが撹拌羽根１４，１４１側に傾斜した構造の場合、上方の肥料は撹拌羽根１４，１４１中央側に矢印で示すように引き込まれやすくなり撹拌作用が進行しやすくなる。一方、図８（ｄ）に示すように側面板が外側に傾斜していると、上方部に位置する肥料は矢印で示すように上方又は側方に逃げやすくなり、肥料の停滞が起こり撹拌されず混合が進行しない。本例においては、撹拌羽根を前後に２列設けた場合を示したが、単列で回転する撹拌羽根を設けた構成の場合でも側面板を内側に傾斜させることにより撹拌混合効果が良好となる。
【００２３】
スタンド２０は、パイプフレーム１の左右側方にそれぞれ着脱可能に設けられ、トラクタから外して保管等する時に使用するもので、作業時は外して作業が行なわれる。スタンド２０にはキャスター車輪２１が設けてあり、格納や移動時に容易に扱うことができる。
【００２４】
本例に示した肥料散布機で肥料の散布作業を行なうには、本機前方に突設して設けたトップブラケット４と左右一対のロアピン５によってトラクタ後方の三点リンク機構に肥料散布機を装着する。また、ホッパ１８前方の中央部に設けたギヤケース２の入力軸３とトラクタのＰＴＯ軸とをユニバーサルジョイントで連結して動力を入力する。ホッパ１８内に散布する複数種類の肥料を投入して、第１撹拌部１１及び第２撹拌部１２を駆動すると、複数種類の肥料は均一に混合され散布可能状態となる。この後肥料散布する圃場において、トラクタを走行させるとともに座席部に設けたコントローラを操作して第１シャッタ１９ｂ及び第２シャッタ１９ｃをスライドさせて排出口１５，１５１を希望量開いて肥料を散布する。
【産業上の利用可能性】
【００２５】
この発明は、散布前に複数種類の肥料を混合させて同時散布可能である混合機能付肥料散布機に利用できる。
【符号の説明】
【００２６】
１      パイプフレーム
２      ギヤケース
２ａ  ベベルギヤ
２ｂ  第１出力軸
３      入力軸
４      トップブラケット
５      ロアピン
６      駆動スプロケット
６ａ  中間スプロケット
６ｂ  テンションスプロケット
６ｃ  ローラーチェーン
７      第１スプロケット
８      第２スプロケット
９      第１回転軸
１０，１０１    掻き上げ材
１１    第１撹拌部
１２    第２撹拌部
１３    第２回転軸
１４，１４１    撹拌羽根
１５，１５１    排出口
１７，１７１    樋
１８    ホッパ
１８ａ  上面カバー
１８ｂ  側面板
１９    シャッタ作動部
１９ａ  回動アーム
１９ｂ  第１シャッタ
１９ｃ  第２シャッタ
１９ｄ  シャッタ連結ロッド
１９ｅ  回動軸
２０    スタンド
２１    キャスター車輪
２２    シャッタ電動作動ユニット
２２ａ  ケース
２２ｂ  モータ
２２ｃ  ピニオンギヤ
２２ｄ  セクタギヤ
２２ｅ  セクタギヤ回動軸
２２ｆ  回動アーム
２２ｇ  ポテンショメータ
２５    第１連結ロット
【図１】
2014057535.tif 000003
【図２】
2014057535.tif 000004
【図３】
2014057535.tif 000005
【図４】
2014057535.tif 000006
【図５】
2014057535.tif 000007
【図６】
2014057535.tif 000008
【図７】
2014057535.tif 000009
【図８】
2014057535.tif 000010